(57)【要約】【課題】後面側での、保守点検等にかかる作業の安全性を確保しつつ、その作業効率を向上させることにより、装置本体の稼働率の向上も図った自動取引装置を提供する。【解決手段】後面側の係員用表示器６１には、前面側の撮像画像が表示される。また、この係員用表示器６１には、本体から引き出されているユニットを収納位置に戻すのを制限するロック状態を解除するロック解除ボタンが表示される。このロック解除ボタンの表示位置は、ランダムに決定されるので、引き出したユニットを戻す直前に、前面側の状況を確実に係員に確認させることができる。また、ロック解除ボタンの表示位置を時間経過にともなって変化させるようにしているので、係員に、前面側の状況変化を確認させながら、引き出したユニットを本体に戻させることができる。【選択図】  図２
2008181192.tif 000002
【特許請求の範囲】
【請求項１】
利用者の操作面を前面に設け、後面側で内部に収納しているユニットが引き出せる自動取引装置において、
本体前面側を撮像エリアとする第１の撮像手段と、
前記第１の撮像手段が撮像している撮像画像を、後面側に設けた表示器に表示する表示手段と、
収納位置から引き出されたユニットが、当該収納位置に戻されるのを制限するロック手段と、
前記ロック手段に前記制限を解除させるロック解除手段と、を備え、
前記表示手段は、前記第１の撮像手段が撮像している撮像画像とともに、ロック解除ボタンを前記表示器に表示する手段であり、
前記ロック解除手段は、前記表示器における前記ロック解除ボタンの表示位置が押下されていることを検出すると、前記ロック手段に前記制限を解除させる手段である、
自動取引装置。
【請求項２】
前記表示手段は、前記表示器における前記ロック解除ボタンの表示位置をランダムに決定する手段である、
請求項１に記載の自動取引装置。
【請求項３】
前記表示手段は、前記表示器における前記ロック解除ボタンの表示位置を時間経過にともなって変化させる手段である、
請求項１または２に記載の自動取引装置。
【請求項４】
前記ロック解除手段は、前記表示器における前記ロック解除ボタンの表示位置が押下されている状態から、押下されていない状態に変化したときに、前記ロック手段に前記制限の解除を停止させる手段である、
請求項１〜３のいずれかに記載の自動取引装置。
【請求項５】
前記表示器は、上下方向にスライド自在に取り付けられている、
請求項１〜４のいずれかに記載の自動取引装置。
【請求項６】
前記操作面側に位置する、媒体の投入、または放出する入出口を撮像エリアとする第２の撮像手段を備え、
前記表示手段は、前記表示器の画面を分割して、前記第１の撮像手段が撮像している撮像画像、および前記第２の撮像手段が撮像している撮像画像を表示する手段である、
請求項１〜５のいずれかに記載の自動取引装置。
【発明の詳細な説明】
【技術分野】
【０００１】
この発明は、利用者の操作面を前面に設け、後面側で内部に収納しているユニットを引き出して、保守点検等にかかる作業が行える自動取引装置に関する。
【背景技術】
【０００２】
従来、ＡＴＭ（現金自動預け払い機）や、券売機等の装置は、利用者の操作面を前面に設け、後面側で内部に収納しているユニットを引き出して、保守点検等にかかる作業が行えるように構成されている。通常、この種の装置は、前面側と、後面側とを壁等で仕切っている。このため、後面側で保守点検等にかかる作業を行っている係員からは、壁に遮られて、前面側を見ることができず、前面側の状況を確認することができない。すなわち、係員は、前面側に利用者がいるかどうか等について確認することができない。一方、保守点検等にかかる作業の安全性を確保するためには、係員が前面側の状況を認識して、作業を行うべきである。そこで、保守点検作業における安全性を確保するために、前面側における利用者の有無を検出し、利用者がいる場合に、警告ランプ等を用いて、その旨を後面側で作業している係員に報知することが提案されている（特許文献１参照）。
【特許文献１】特開平８−１４７３９２号公報
【発明の開示】
【発明が解決しようとする課題】
【０００３】
しかしながら、特許文献１では、前面側に利用者がいるかどうかを、後面側で保守点検等にかかる作業を行っている係員に知らせているだけであった。このため、係員は、前面側に利用者がいるかどうかについてのみ確認できるだけであり、その利用者が前面側でどのように行動しているのかまで確認できなかった。例えば、前面側にいる利用者が、単に装置本体の前を通行している利用者であるのか、装置を利用するために近づいてきている利用者であるのかを、係員に確認させることができなかった。特に、後面側で引き出したユニットを、本体の収納位置に戻す作業は、前面側にいる利用者が前面側でいたずら等をしていると、場合によっては、当該利用者の手を挟む事態も生じかねない。このため、係員は、作業の安全確保のために、前面側に利用者がいる旨の報知があると、その利用者の行動にかかわらず一旦作業を休止しなければならなかった。このため、保守点検等の作業効率が悪く、結果的に、装置本体の稼働率を低下させるという問題があった。
【０００４】
この発明の目的は、後面側での、保守点検等にかかる作業の安全性を確保しつつ、その作業効率を向上させることにより、装置本体の稼働率の向上も図った自動取引装置を提供することにある。
【課題を解決するための手段】
【０００５】
この発明の自動取引装置は、上記目的を達成するために、以下の構成を備えている。
【０００６】
この自動取引装置は、利用者の操作面を前面に設け、後面側で内部に収納しているユニットが引き出せる構成である。第１の撮像手段が、撮像エリアである本体前面側を撮像し、表示手段が、この第１の撮像手段が撮像している撮像画像を、後面側に設けた表示器に表示する。また、収納位置から引き出されたユニットが当該収納位置に戻されるのを、ロック手段が制限する。このロック手段による制限は、ロック解除手段により解除される。ロック解除手段は、表示手段において第１の撮像手段が撮像している撮像画像とともに、表示器に表示されているロック解除ボタンの表示位置が押下されていることを検出すると、ロック手段による制限を解除させる。
【０００７】
このため、本体後面側で作業している係員は、本体から引き出したユニットを、本体の収納位置に戻すときには、表示器に表示されているロック解除ボタンの表示位置を押下しなければならないので、表示器の表示画面を見る。表示器の表示画面には、第１の撮像手段が撮像している本体前面側の撮像画像が表示されている。したがって、本体から引き出したユニットを本体の収納位置に戻す作業を行う係員に、前面側の状況を確認させることができる。これにより、、保守点検等にかかる作業の安全性を確保しつつ、その作業効率を向上させることができ、その結果、装置本体の稼働率の向上も図れる。
【０００８】
また、表示器におけるロック解除ボタンの表示位置をランダムに決定する構成とすれば、係員は、表示器の表示画面を見ずに、感覚的にロック解除ボタンの表示位置を押下することができない。すなわち、本体から引き出したユニットを、本体の収納位置に戻す係員に、表示器の表示画面を確実に見させることができる。これにより、保守点検等にかかる作業の安全性を一層高めることができる。
【０００９】
また、表示器におけるロック解除ボタンの表示位置を時間経過にともなって変化させる構成としてもよい。このように構成しても、本体から引き出したユニットを、本体の収納位置に戻す係員に、表示器の表示画面を確実に見させることができる。
【００１０】
また、表示器におけるロック解除ボタンの表示位置が押下されている状態から、押下されていない状態に変化したときに、ロック手段による制限の解除を停止させる、すなわち収納位置から引き出されたユニットが当該収納位置に戻されるのを制限した状態に戻す、構成としてもよい。
【００１１】
また、表示器を、上下方向にスライド自在に取り付け、作業時の姿勢に応じて調整できるように構成してもよい。
【００１２】
また、操作面側に位置する、媒体の投入、または放出する入出口を撮像エリアとする第２の撮像手段を設け、表示手段において、第１の撮像手段が撮像している撮像画像、および第２の撮像手段が撮像している撮像画像を、表示器の画面を分割して表示する構成としてもよい。
【発明の効果】
【００１３】
この発明によれば、保守点検作業にかかる安全性を確保しつつ、作業効率を向上させることができ、これにともなって、装置本体の稼働率の向上も図れる。
【発明を実施するための最良の形態】
【００１４】
以下、この発明にかかる自動取引装置の実施形態について説明する。
【００１５】
図１は、この発明の実施形態である現金自動預け払い機の主要部の構成を示す図である。図２は、この実施形態の現金自動預け払い機の内部構成を示す概略図である。図２（Ａ）は装置本体内部を示す概略の断面図であり、図２（Ｂ）は本体前面に設けられている操作面を示す該略図である。現金自動預け払い機１（以下、ＡＴＭ１と言う。）は、制御ユニット２と、現金ユニット３と、媒体処理ユニット４と、利用者操作ユニット５と、係員操作ユニット６と、撮像ユニット７と、収納制限ユニット８と、利用者検知ユニット９と、警報ユニット１０と、通信ユニット１１と、を備えている。ＡＴＭ１は、図２（Ａ）に示すように、前面側と、後面側とを壁１５で仕切った状態に設置される。
【００１６】
まず、上述した各ユニットについて簡単に説明する。制御ユニット２は、各ユニットの動作を制御する。現金ユニット３は、入出金取引される紙幣や硬貨を処理する。媒体処理ユニット４は、取引の際に使用されるキャッシュカードや通帳等の媒体を処理する。利用者操作ユニット５は、利用者に対する操作案内画面の表示出力や、利用者による入力操作を受け付ける。係員操作ユニット６は、係員に対する操作案内画面の表示出力や、係員による入力操作を受け付ける。撮像ユニット７は、本体前面側を撮像し、その撮像画像を処理する。収納制限ユニット８は、本体から引き出されたユニットが収納位置に戻されるのを制限する。利用者検知ユニット９は、本体前面側における利用者の有無を検知する。警報ユニット１０は、本体前面側にいる利用者、および本体後面側にいる係員に対する警報報知を個別に行う。通信ユニット１１は、図示していない上位装置との間におけるデータ通信を制御する。
【００１７】
現金ユニット３は、紙幣を処理する紙幣処理ユニット３１、および硬貨を処理する硬貨処理ユニット３２を有している。紙幣処理ユニット３１、硬貨処理ユニット３２は、それぞれ本体に設けられたレールに載せられており、後面側において、このレールに沿って本体から引き出すことができる構成である。紙幣処理ユニット３１は、紙幣カセットが着脱自在に構成されている。紙幣処理ユニット３１は、紙幣入出金口３１ａと紙幣カセットとの間に紙幣を搬送する紙幣搬送路を有している。また、この紙幣搬送路において搬送される紙幣毎に金種や真偽を鑑別する紙幣鑑別部を有している。同様に、硬貨処理ユニット３２も硬貨カセットが着脱自在に構成されている。硬貨処理ユニット３２は、硬貨入出金口３２ａと硬貨カセットとの間に硬貨を搬送する硬貨搬送路を有している。また、この硬貨搬送路において搬送される硬貨毎に金種や真偽を鑑別する硬貨鑑別部を有している。この紙幣処理ユニット３１の紙幣入出金口３１ａおよび硬貨処理ユニット３２の硬貨入出金口３２ａが位置するＡＴＭ１の前面パネルには、開口部が形成されている。
【００１８】
媒体処理ユニット４は、キャッシュカード（以下、単にカードと言う。）を処理するカード処理ユニット４１、および通帳を処理する通帳処理ユニット４２を有している。カード処理ユニット４１、および通帳処理ユニットも、それぞれ本体に設けられたレールに載せられており、後面側において、このレールに沿って本体から引き出すことができる構成である。カード処理ユニット４１は、前面に位置するカード挿入口に挿入されたカードに記録されている口座番号等のデータを読み取る。カード挿入口が位置するＡＴＭ１の前面パネルには、開口部が形成されている。取引時に挿入されたカードは、このカード挿入口において放出される。また、通帳処理ユニット４２は、前面に位置する通帳挿入口に挿入された通帳を受け付け、当該通帳に記録されている口座番号等のデータを読み取る。また、通帳処理ユニット４２は、取引内容を、受け付けた通帳や予め収納されている取引伝票に印字する印字部を有している。通帳挿入口が位置するＡＴＭ１の前面パネルには、開口部が形成されている。取引内容が印字された通帳や伝票は、この通帳挿入口に放出される。
【００１９】
利用者操作ユニット５は、前面に設けられた利用者用表示器５１において、利用者に対する操作案内画面を表示する利用者用表示器５１や、この利用者用表示器５１の表示画面上に配置したタッチパネル５２等の入力デバイスを備えている。係員操作ユニット６は、開閉自在の後面パネルに設けられた係員用表示器６１、およびこの係員用表示器６１の画面上に配置されたタッチパネル６２を有している。係員用表示器６１は、裏面パネルの内側（本体内部側）に、上下方向にスライド自在に取り付けられている（図３参照）。このため、係員は、裏面パネルを開いたときに、係員用表示器６１の表示画面を見ることができるとともに、係員用表示器６１の高さを作業時の姿勢に応じて調整することができる。この係員用表示器６１には、後述するように、撮像ユニット７で撮像されている本体前面側の撮像画像が表示される。したがって、本体裏面側で作業をしている係員は、この係員用表示器６１に表示されている画面を見ることにより、壁で遮られて直接見ることができない本体前面側の状況を確認することができる。
【００２０】
撮像ユニット７は、第１のカメラ７１と、第２のカメラ７２と、を備えている。第１のカメラ７１の撮像エリアは、本体正面である。第１のカメラ７１は、本体正面にいる利用者等を撮像する。第２のカメラ７２の撮像エリアは、本体前面に設けられている利用者の操作面を含むエリアである。第２のカメラ７２は、現金処理ユニット３の紙幣入出金口や硬貨入出金口、カード処理ユニット４１や通帳処理ユニット４２の挿入口、さらに利用者表示器５１の表示画面上に配置したタッチパネル５２を操作する利用者の手等を撮像する。撮像ユニット７は、第１のカメラ７１、および第２のカメラ７２で撮像されている撮像画像を、係員操作ユニット６に入力する。係員操作ユニット６は、図４に示すように、係員用表示器６１の画面を分割して、撮像ユニット７から入力されている第１のカメラ７１、および第２のカメラ７２の撮像画像を表示する。図４において、右上に表示されている画像が第１のカメラ７１による撮像画像であり、下側に表示されている画像が第２のカメラ７２による撮像画像である。また、係員用表示器６１には、後述するユニット収納ボタンや、ロック解除ボタン等が必要に応じて表示される。
【００２１】
収納制限ユニット８は、本体から引き出し自在に構成されている各ユニット（ここでは、現金ユニット３、カード処理ユニット４１、通帳処理ユニット４２）に対して、本体の収納位置に収納されているかどうかを検知する収納位置検知センサ８１と、本体から引き出されているユニットが本体の収納位置に戻されるのを制限するロック部材８２とを備えている。図５は、カード処理ユニット４１が引き出され、現金ユニット３が引き出されていない状態を示している。図５に示すように、収納位置検出センサ８１は、本体後面側に設けられている。収納位置検出センサ８１の検出エリアは、対応するユニットが収納位置に収納されている状態で、このユニットの後端が検出エリアよりも装置本体内側に位置する範囲である。このため、収納位置検出センサ８１は、対応するユニットが収納位置に収納されている状態であるときに対応するユニットを検出せず、対応するユニットが収納位置から引き出されている状態であるときに対応するユニットを検出する。また、ロック部材８２は、本体前面側に設けられている。ロック部材８２は、ソレノイドにより駆動され、ロック状態と、ロック解除状態との間で変化する。図５において、カード処理ユニット４１に対応するロック部材８２がロック状態であり、現金ユニット３に対応するロック部材８２がロック解除状態である。ロック状態とは、本体から引き出されているユニットが収納位置に戻る手前で、そのユニットの前方の下端部が当たる位置にロック部材８２の可動部（図５中にハッチングで示す部分）を突出した状態である。ロック解除状態とは、ユニットの前方の下端部が当たらない位置までロック部材８２の可動部を引き下げた状態である。ソレノイドが、この可動部を駆動する。収納制限ユニット８が、このソレノイドを制御する。ロック部材８２は、ソレノイドが励磁されていないときにロック解除状態になり、ソレノイドが励磁されているときにロック状態になる。収納制限ユニット８は、本体に収納位置にあるユニットについては、対応するロック部材８２をロック解除状態に保持する。また、本体の収納位置から引き出されたユニットについては、対応するロック部材８２をロック状態に制御し、係員用表示器６１に表示されているロック解除ボタンの表示位置が押下されている間だけ、対応するロック部材８２をロック解除状態に制御する。
【００２２】
なお、ロック部材８２の可動部は、ソレノイド以外の駆動部を用いて駆動する構成であってもよい。また、係員用表示器６１に表示されているロック解除ボタンの表示位置が押下されると、一定時間だけ対応するロック部材８２をロック解除状態に制御する構成としてもよい。
【００２３】
利用者検知ユニット９は、本体前面に設けられた近接センサ９１を備え、当該近接センサ９１により利用者の存在を検知する。警報ユニット１０は、本体前面側にいる利用者に対して保守点検作業等が行われていることを警告する前面側警報器１０１、および後面側の係員に対して前面側に人がいることを警告する後面側警報器１０２を備えている。前面側警報機１０１は、音声で前面側にいる利用者に対して警告報知を行い、後面側警報機１０２は、後面側で作業している係員に対して警告報知を行う。
【００２４】
このＡＴＭ１における入金取引や出金取引等の各種取引時における動作は、公知のものと同様であるので、ここでは説明を省略する。
【００２５】
次に、このＡＴＭ１に対する保守点検作業を行う場合について説明する。まず、保守点検作業を行う係員は、装置後面側に行き、後面パネルを開く。これにより、後面パネルに取り付けられている係員用表示器６１があらわれる。保守点検作業を行う係員は、保守点検作業の開始かかる入力操作を行う。ＡＴＭ１は、係員用表示器６１の画面上に配置したタッチパネル６２で、係員の入力操作を受け付ける。ＡＴＭ１は、係員操作ユニット６が保守点検作業の開始かかる入力操作を受け付けると、本体を取引取扱状態から取引停止状態に移行する。ＡＴＭ１は、取引停止状態であることを利用者に認識させるため、その旨を利用者用表示器５１等で表示する。
【００２６】
係員は、保守点検作業を行う対象のユニットを本体から引き出し、その引き出したユニットに対して保守点検作業を行う。収納制御ユニット８は、本体からいずれかのユニットが収納位置から引き出されたことを検出すると、そのユニットに対応するロック部材８２をロック解除状態からロック状態に切り換える。また、収納制御ユニット８は、ユニット毎に本体の収納位置にあるか、引き出されているかを制御ユニット２に通知している。制御ユニット２は、本体から引き出されているユニットがあると、係員操作ユニット６に対して係員用表示器６１におけるユニット収納ボタンの表示を指示する。係員操作ユニット６は、この指示にしたがって、ユニット収納ボタンを係員用表示器６１に表示する（図６参照）。係員は、本体から引き出したユニットを本体の収納位置に戻すときに、係員用表示器６１において表示されているユニット収納ボタンの表示位置を押下する。係員操作ユニット６は、このユニット収納ボタンの表示位置が押下されたことを検知すると、その旨を制御ユニット２に通知する。
【００２７】
図７は、ユニット収納ボタンが押下されたときのＡＴＭの動作を示すフローチャートである。ＡＴＭ１は、撮像ユニット７の第１のカメラ７１、および第２のカメラ７２で撮像されている撮像画像を、係員操作ユニット６の係員用表示器６１に表示する（ｓ１）。このとき、係員操作ユニット６は、係員用表示器６１の画面を分割し、第１のカメラ７１で撮像されている撮像画像、および第２のカメラ７２で撮像されている撮像画像を区別して表示する（上述した図４参照）。係員は、係員用表示器６１に表示された第１の撮像カメラ７１の撮像画像により、本体前面側の状況を確認することができるとともに、第２の撮像カメラ７２の撮像画像により、利用者が操作面に手をのばしていないか等の確認が行える。
【００２８】
ＡＴＭ１は、利用者検知ユニット９が利用者を検知しているかどうかを判定し（ｓ２）、利用者が検知されていれば後面側警報器１０２において、前面側に利用者がいることを係員に通知する警告報知を行う（ｓ３）。また、ＡＴＭ１は、第２の撮像カメラ７２の撮像画像に利用者の手が写っているかどうかを判定し（ｓ４）、利用者の手が写っていれば、前面側警報機１０１において、後面側で係員よる作業が行われており、現在取扱停止状態であることを当該利用者に通知する警告報知を音声で行う（ｓ５）。ｓ４にかかる判定は、第２の撮像カメラ７２で撮像された、撮像タイミングが所定時間（例えば、１〜２秒）ずれた２枚の撮像画像から生成した差分画像を用いて行うように構成してもよいし、前面パネルに特定形状の模様を形成しておき、第２の撮像カメラ７２の撮像画像に、この模様が撮像されているかどうかを判定することにより行ってもよい。
【００２９】
係員操作ユニット６は、「前面側の安全確認を行ってください」というメッセージとともに、ロック解除ボタンを係員用表示器６１に表示する（ｓ６）。図８（Ａ）は、係員用表示器６１において、ロック解除ボタンが表示された状態を示す図である。係員用表示器６１における、このロック解除ボタンの表示位置は、ランダムに決定している。例えば、ロック解除ボタンの表示位置は、ユニット収納ボタンが押下されたタイミングで発生させた乱数に基づいて決定している。すなわち、係員は、係員用表示器６１におけるロック解除ボタンを押下するときに、その表示位置を確認するために、係員用表示器６１の表示画面を確認しなければならない。後述するように、このロック解除ボタンの表示位置を押下しないと、引き出したユニットを収納位置に戻すことができない。このため、本体から引き出したユニットを収納位置に戻すときに、係員用表示器６１に表示されている撮像画像を確実に係員に確認させることができる。言い換えれば、本体から引き出したユニットを収納位置に戻すときに、前面側の状況を係員に確認させることができる。
【００３０】
ＡＴＭ１は、ロック解除ボタンが押下されると（ｓ７）、ロック部材８２をロック解除状態に移行し（ｓ８）、引き出されているユニットが収納位置に戻されるか、ロック解除ボタンが押下されていない状態になるのを待つ（ｓ９、ｓ１０）。このとき、係員用操作ユニット６は、係員用表示器６１に表示しているロック解除ボタンの表紙位置を、時間経過にともなって変化させている。図８（Ｂ）は、図８（Ａ）に示す状態から、時間経過にともなってロック解除ボタンの表示位置が変化した状態を示している。図８（Ｂ）において、ハッチングで示すロック解除ボタンは、表示位置が変化する前のロック解除ボタンの表示位置を示している。ＡＴＭ１は、ロック解除ボタンが押下されていない状態になると、この時点で引き出されているユニットに対応するロック解除部材８２をロック状態にする（ｓ１１）。これにより、ユニットを収納位置に戻すことが制限される。すなわち、ユニットを収納位置に戻すことができなくなる。ＡＴＭ１は、ユニット収納ボタンを係員用表示器６１に表示し（ｓ１２）（図６に示す画面に戻し）、本処理を終了する。
【００３１】
したがって、係員は、ロック解除ボタンの表示位置を確認しながら、本体から引き出したユニットを収納位置に戻す作業を行うことになる。このため、係員に、前面側の状況変化を確認させながら、引き出したユニットを本体に戻させることができ、その結果、作業時の安全性を十分に確保することができる。また、係員は、危険な状態になったときには、ロック解除ボタンの表示位置の押下をやめればよいので、このような状況の変化に対しても速やかに対応できる。
【００３２】
また、ＡＴＭ１は、引き出されていたユニットが収納位置に戻されたことを検出すると、他に引き出されているユニットがあるかどうかを判定し（ｓ１３）、他に引き出されているユニットがあれば、ｓ１２でユニット収納ボタンを係員用表示器６１に表示し（図６に示す画面を表示し）、本処理を終了する。
【００３３】
このように、係員用表示器６１に前面側の撮像画像を表示するようにしているので、前面側の状況を後面側で作業している係員に確認させることができる。また、ロック解除ボタンの表示位置をランダムに決定するので、引き出したユニットを戻す直前に、前面側の状況を確実に係員に確認させることができる。また、ロック解除ボタンの表示位置を時間経過にともなって変化させるようにしているので、係員に、前面側の状況変化を確認させながら、引き出したユニットを本体に戻させることができる。したがって、保守点検作業にかかる安全性を確保しつつ、作業効率を向上させることができ、これにともなって、装置本体の稼働率の向上も図れる。
【図面の簡単な説明】
【００３４】
【図１】この発明の実施形態である現金自動預け払い機の主要部の構成を示す概略図である。
【図２】この実施形態の現金自動預け払い機の内部構成を示す概略図である。
【図３】係員用表示器の取り付け状態を示す図である。
【図４】係員用表示器における表示画面例を示す図である。
【図５】ユニットのロック機構を説明する図である。
【図６】係員用表示器における表示画面例を示す図である。
【図７】引き出したユニットを収納位置に戻すときの処理を示すフローチャートである
【図８】係員用表示器における表示画面例を示す図である。
【符号の説明】
【００３５】
１−現金自動預け払い機（ＡＴＭ）
２−制御ユニット
３−現金ユニット
４−媒体処理ユニット
５−利用者操作ユニット
６−係員操作ユニット
７−撮像用ユニット
８−収納制限ユニット
９−利用者検知ユニット
１０−警報ユニット
１１−通信ユニット
【図１】
2008181192.tif 000003
【図２】
2008181192.tif 000004
【図３】
2008181192.tif 000005
【図４】
2008181192.tif 000006
【図５】
2008181192.tif 000007
【図６】
2008181192.tif 000008
【図７】
2008181192.tif 000009
【図８】
2008181192.tif 000010